(57)【特許請求の範囲】
【請求項１】
一方の面と他方の面とに異なる波長帯域の光を発する蛍光体の領域が形成された蛍光ホ
イールと、
前記蛍光ホイールの一方の面に励起光を照射する第一光源と、
前記蛍光ホイールの他方の面に励起光を照射する第二光源と、
前記蛍光ホイールの前記一方の面から発光される緑色の蛍光光と、前記蛍光ホイールの前記他方の面から発光される赤色の蛍光光と、を同一光路に導く導光光学系と、
を有することを特徴とする光源装置。
【請求項２】
前記導光光学系は、
前記蛍光ホイールと前記第一光源との間に配置され、前記第一光源の前記励起光を透過
させ、前記蛍光ホイールからの蛍光光を反射する第一ダイクロイックミラーと、
前記蛍光ホイールと前記第二光源との間に配置され、前記第二光源の前記励起光を透過させ、前記蛍光ホイールからの蛍光光を反射する第二ダイクロイックミラーと、
を含むことを特徴とする請求項１に記載の光源装置。
【請求項３】
前記蛍光ホイールの前記一方の面には緑色の蛍光体が形成され、前記蛍光ホイールの前記他方の面には赤色の蛍光体が形成されることを特徴とする請求項２に記載の光源装置。
【請求項４】
前記第一光源から前記蛍光ホイールに照射される前記励起光の光軸と、前記第二光源から前記蛍光ホイールに照射される前記励起光の光軸とが一致していることを特徴とする請求項１乃至請求項３の何れかに記載の光源装置。
【請求項５】
前記第一光源は青色波長帯域の前記励起光を出射し、前記蛍光ホイールは、一部に光を透過する励起光透過領域を有し、
前記第二光源と前記蛍光ホイールとの間に設置された前記第二ダイクロイックミラーは、前記蛍光光と共に前記第一光源からの光を反射することを特徴とする請求項２に記載の光源装置。
【請求項６】
前記蛍光ホイールの赤色の蛍光体が形成された面には、青色の蛍光体が一部に形成されることを特徴とする請求項５に記載の光源装置。
【請求項７】
前記第二光源は、紫外光を出射することを特徴とする請求項１乃至請求項６の何れかに記載の光源装置。
【請求項８】
前記蛍光ホイールの前記一方の面と前記他方の面とに形成された蛍光体領域は、同一形状同一大きさとして円周全体に亘って形成されることを特徴とする請求項３に記載の光源装置。
【請求項９】
さらに、青色波長帯域光を出射する第三光源を有することを特徴とする請求項８に記載の光源装置。
【請求項１０】
前記第三光源から出射された光の光軸が前記第一光源又は前記第二光源の光軸と前記第一ダイクロイックミラーの位置で交差することを特徴とする請求項９に記載の光源装置。
【請求項１１】
前記第一光源と前記第二光源とは、青色波長帯域光又は紫外光を出射することを特徴とする請求項８乃至請求項１０の何れかに記載の光源装置。
【請求項１２】
前記第一光源から前記蛍光ホイールに照射される前記励起光の光軸と、前記第二光源から前記蛍光ホイールに照射される前記励起光の光軸とが一致していることを特徴とする請求項８乃至請求項１１の何れかに記載の光源装置。
【請求項１３】
前記蛍光ホイールに照射される前記第一光源の励起光の照射スポットと、前記蛍光ホイールに照射される前記第二光源の励起光の照射スポットとは、前記蛍光ホイールの表面と平行な平面上で位置が異なることを特徴とする請求項８乃至請求項１１の何れかに記載の光源装置。
【請求項１４】
請求項１乃至請求項１３の何れかに記載の光源装置と、
画像光を生成する表示素子と、
前記表示素子から出射された画像光をスクリーンに投影する投影側光学系と、
前記光源装置や前記表示素子を制御する投影装置制御手段と、
を有することを特徴とする投影装置。
【発明の詳細な説明】
【技術分野】
【０００１】
本発明は、光源装置と、この光源装置を備える投影装置に関する。
【背景技術】
【０００２】
今日、パーソナルコンピュータの画面やビデオ画像、更にメモリカード等に記憶されている画像データによる画像等をスクリーンに投影する画像投影装置としてのデータプロジェクタが多用されている。このプロジェクタは、光源から出射された光をＤＭＤ（デジタル・マイクロミラー・デバイス）や液晶板などの表示素子に集光させ、スクリーン上にカラー画像を表示する。
【０００３】
プロジェクタは、光源のレーザダイオードからレーザ光を蛍光ホイールに照射し、ＲＧＢの蛍光光を出力することができる。蛍光ホイールは、一面に蛍光色が異なるＲ蛍光体、Ｇ蛍光体やＢ蛍光体を円周方向に隣接させて形成することができる。例えば、緑色と赤色の光を発する蛍光ホイールを使用する場合、蛍光ホイールの一面に二色の蛍光体を配置する。
【０００４】
特許文献１には、モータにより回転駆動される回転基材に回転軸中心Ａから半径方向に第１の距離Ｒ１を隔てて形成された赤色蛍光体部、緑色蛍光体部及び青色波長帯域光を透過させる開口部を有する蛍光ホイール装置が開示されている。これら赤色蛍光体部及び緑色蛍光体部は、青色レーザダイオードのレーザ光によって励起され、赤色波長帯域光と緑色波長帯域光とを発光する。蛍光ホイール装置は、更に回転軸中心Ａから半径方向に第１の距離Ｒ１とは異なる第２の距離Ｒ２を隔てた回転基材上の円周状の一部の位置に回転位相検出をするためのインデックス用蛍光体部が形成されている。
【先行技術文献】
【特許文献】
【０００５】
【特許文献１】特開２０１５−１５５９８６号公報
【発明の概要】
【発明が解決しようとする課題】
【０００６】
しかし、特許文献１に開示された技術は、蛍光体の一面に蛍光色が異なる複数の蛍光体を塗布しているので、各蛍光体の面積比により各色の最大発光時間が制限され、明るく色再現性に優れた画像を表示することが困難になるという問題があった。
【０００７】
また、補色セグメントを追加使用する場合、各単色のセグメントはより一層制限が大きくなるという問題があった。また、蛍光ホイールを複数使用すると、デバイスが多くなり、光学系も複雑となるという問題があった。
【０００８】
本発明の目的は、色再現性に優れた明るく見やすい画像を表示することができる光源装置と、この光源装置を備える投影装置を提供する。
【課題を解決するための手段】
【０００９】
本発明に係る光源装置は、一方の面と他方の面とに異なる波長帯域の光を発する蛍光体の領域が形成された蛍光ホイールと、前記蛍光ホイールの一方の面に励起光を照射する第一光源と、前記蛍光ホイールの他方の面に励起光を照射する第二光源と、前記蛍光ホイールの前記一方の面から発光される緑色の蛍光光と、前記蛍光ホイールの前記他方の面から発光される赤色の蛍光光と、を同一光路に導く導光光学系と、を有することを特徴とする。
【００１０】
本発明に係る投影装置は、上述の光源装置と、画像光を生成する表示素子と、前記表示素子から出射された画像光をスクリーンに投影する投影側光学系と、前記光源装置や前記表示素子を制御する投影装置制御手段と、を有することを特徴とする。
【発明の効果】
【００１１】
本発明によれば、色再現性に優れた明るく見やすい画像を表示することができる光源装置と、この光源装置を備える投影装置を提供することができる。
【図面の簡単な説明】
【００１２】
【図１】本発明の第１の実施形態に係る投影装置を示す外観斜視図である。
【図２】本発明の第１の実施形態に係る投影装置の機能ブロックを示す図である。
【図３】本発明の第１の実施形態に係る投影装置の内部構造を示す平面模式図である。
【図４】本発明の第１の実施形態に係る投影装置の内部構造の一部を示す拡大概略図である。
【図５】本発明の第１の実施形態に係る蛍光ホイールを示す図であり、（ａ）は表面、（ｂ）は裏面である。
【図６】本発明の第１の実施形態に係る光源制御手段の光源の点滅タイミングを示すタイムチャートである。
【図７】本発明の第１の実施形態に係る光源制御手段の光源の点滅タイミングの変更制御例を示すタイムチャートである。
【図８】本発明の第２の実施形態に係る投影装置の内部構造の一部を示す拡大概略図である。
【図９】本発明の第２の実施形態に係る蛍光ホイールを示す図であり、（ａ）は表面、（ｂ）は裏面である。
【図１０】本発明の第２の実施形態に係る光源制御手段の光源の点滅タイミングを示すタイムチャートである。
【図１１】本発明の変形例に係る蛍光ホイールを示す図であり、（ａ）、（ｃ）、（ｅ）は表面、（ｂ）、（ｄ）、（ｆ）は裏面である。
【発明を実施するための形態】
【００１３】
（第１の実施形態）
以下、本発明を実施するための形態について述べる。図１は、本実施形態に係る投影装置とされる投影装置１０の外観斜視図である。尚、本実施形態において、投影装置１０における左右とは投影方向に対しての左右方向を示し、前後とは投影装置１０のスクリーン側方向及び光線束の進行方向に対しての前後方向を示す。
【００１４】
投影装置１０は、図１に示すように、略直方体形状であって、投影装置筐体の前方の側板とされる正面パネル１２の側方に投影口を覆うレンズカバー１９を有すると共に、この正面パネル１２には複数の吸気孔１８や排気孔１７を設けている。さらに、図示しないがリモートコントローラからの制御信号を受信するＩｒ受信部を備えている。
【００１５】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源ユニットや表示素子又は制御回路等が過熱したときに報知する過熱インジケータ等のキーやインジケータが配置されている。
【００１６】
さらに、筐体の背面には、背面パネルにＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネルには、複数の吸気孔が形成されている。尚、図示しない筐体の側板である右側パネル、及び、図１に示した側板である左側パネル１５には、各々複数の排気孔１７が形成されている。また、左側パネル１５の背面パネル近傍の隅部には、吸気孔１８も形成されている。
【００１７】
つぎに、投影装置１０の投影装置制御手段について、図２の機能回路ブロック図を用いて述べる。投影装置制御手段は、制御部３８、入出力インターフェース２２、画像変換部２３、表示エンコーダ２４、表示駆動部２６等から構成され、入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００１８】
また、表示エンコーダ２４は、入力された画像信号をビデオＲＡＭ２５に展開記憶された上でこのビデオＲＡＭ２５の記憶内容からビデオ信号を生成して表示駆動部２６に出力する。
【００１９】
表示駆動部２６は、表示素子制御手段として機能するものであり、表示エンコーダ２４から出力された画像信号に対応して適宜フレームレートで空間的光変調素子（ＳＯＭ）である表示素子５１を駆動するものである。そして、この投影装置１０は、光源装置６０から出射された光線束を、光源側光学系を介して表示素子５１に照射することにより、表示素子５１の反射光で光学像を形成し、後述する投影側光学系を介して図示しないスクリーンに画像を投影表示する。
【００２０】
また、光源装置６０は、青色波長帯域光を出射する光源であって、励起光源ともされる第一光源とする励起光照射装置７０と、紫外光または青色波長帯域光を出射する第二光源であるレーザダイオード３０１とを備え、レーザダイオード３０１は複数設置されている。
さらに、この投影側光学系の可動レンズ群２３５は、レンズモータ４５によりズーム調整やフォーカス調整のための駆動が行われる。
【００２１】
また、画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。さらに、画像圧縮／伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行う。
【００２２】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００２３】
筐体の上面パネル１１に設けられるメインキー及びインジケータ等により構成されるキー／インジケータ部３７の操作信号は、直接に制御部３８に送出され、リモートコントローラからのキー操作信号は、Ｉｒ受信部３５で受信され、Ｉｒ処理部３６で復調されたコード信号が制御部３８に出力される。
【００２４】
尚、制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声報音させる。
【００２５】
また、制御部３８は、光源制御手段としての光源制御回路４１を制御している。光源制御回路４１は、画像生成時に要求される所定波長帯域の光が光源装置６０から出射されるように、光源装置６０としての第一光源や第二光源の点灯動作を個別に制御する。また、光源制御回路４１は、制御部３８の指示により、投影モードに応じて、蛍光ホイールの同期のタイミングを制御する。
【００２６】
さらに、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置本体の電源ＯＦＦ後も冷却ファンの回転を持続させる、あるいは、温度センサによる温度検出の結果によっては投影装置本体の電源をＯＦＦにする等の制御も行う。
【００２７】
図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えている。また、投影装置１０は、制御回路基板２４１の側方、つまり、投影装置１０の筐体の略中央部分に光源装置６０を備えている。さらに、投影装置１０は、光源装置６０と左側パネル１５との間に、光源側光学系１７０や投影側光学系２２０が配置されている。
【００２８】
上述のように、光源装置６０は、青色波長帯域光の光源であって、励起光源ともされる第一光源としての励起光照射装置７０と、紫外光の光源である第二光源としてのレーザダイオード３０１と、を備える。光源装置６０には、赤色波長帯域光、緑色波長帯域光、青色波長帯域光の各色波長帯域光を導光し、光軸を一致させるように同一光路上に導いて出射する導光光学系１４０が配置されている。導光光学系１４０は、光源装置６０から出射される各色波長帯域光をライトトンネル１７５の入射口に集光する。
【００２９】
第一光源とする励起光照射装置７０は、投影装置１０の筐体の左右方向における略中央部分であって背面パネル１３近傍に配置される。そして、励起光照射装置７０は、右側パネル１４及び左側パネル１５と光軸が平行になるよう配置された複数の半導体発光素子である青色レーザダイオード７１が設けられる。青色レーザダイオード７１の右側には、ヒートシンク８１が設けられる。なお、本実施形態においては、励起光照射装置７０には、２行４列の合計８個の青色レーザダイオード７１が配置される。
【００３０】
また、各青色レーザダイオード７１の光軸上には、各青色レーザダイオード７１からの各出射光の指向性を高めるように各々平行光に変換する複数のコリメータレンズ７３が配置されている。各青色レーザダイオード７１からの出射光を集光する集光レンズ７８，８５等が備えられている。
【００３１】
各青色レーザダイオード７１から出射される各光線束同士は、集光レンズ７８，８５と集光レンズ群１１１により、その軸方向に集光されて蛍光ホイール装置１００の蛍光ホイール１０１上の照射領域に照射される。したがって、光線束の横断面積は、光源側から蛍光ホイール装置１００側へ向かうに従い漸次縮小される。
【００３２】
また、ヒートシンク８１と背面パネル１３との近傍には、冷却ファン２６１が配置されている。この冷却ファン２６１とヒートシンク８１とによって青色レーザダイオード７１は冷却される。
【００３３】
蛍光ホイール装置１００は、励起光照射装置７０から出射される励起光の光路上であって、正面パネル１２の近傍に配置される。蛍光ホイール装置１００は、正面パネル１２と平行となるように、つまり、励起光照射装置７０からの出射光の光軸と直交するように配置された蛍光ホイール１０１と、この蛍光ホイール１０１を回転駆動するモータ１１０と、励起光照射装置７０から出射される励起光の光線束を蛍光ホイール１０１に集光するとともに蛍光ホイール１０１から背面パネル１３方向に出射される光線束を集光する集光レンズ群１１１と、蛍光ホイール１０１から正面パネル１２方向に出射される光線束を集光する集光レンズ１１５と、を備える。
【００３４】
赤色波長帯域光と緑色波長帯域光とは、後述する蛍光ホイール１０１の表面（一方の面）または裏面（他方の面）に励起光等を照射することにより発光される。なお、モータ１１０の正面パネル１２側には冷却ファン２６１が配置されており、この冷却ファン２６１によって蛍光ホイール装置１００等が冷却される。
【００３５】
そして、導光光学系１４０は、赤色、緑色、青色波長帯域の各光線束を集光させる集光レンズや、各色波長帯域の光線束の光軸を変換して同一の光軸とさせる反射ミラー、ダイクロイックミラー等からなる。具体的には、導光光学系１４０には、集光レンズ７８，８５と集光レンズ群１１１との間の位置に、青色波長帯域光を透過し、緑色波長帯域光を反射してその光軸を左側パネル１５方向に９０度変換する第一ダイクロイックミラー１４１が配置されている。
【００３６】
また、蛍光ホイール１０１を透過又は拡散透過した青色波長帯域光の光軸上、つまり、集光レンズ１１５と正面パネル１２との間には、青色波長帯域光及び赤色波長帯域光を反射してこの青色波長帯域光及び赤色波長帯域光の光軸を左側パネル１５方向に９０度変換する第二ダイクロイックミラー１４３が配置されている。
【００３７】
第二ダイクロイックミラー１４３と正面パネル１２との間には、紫外光を照射する第２光源としてのレーザダイオード３０１が複数配置されている。また、各レーザダイオード３０１の光軸上には、各レーザダイオード３０１からの各出射光の指向性を高めるように各々平行光に変換する複数のコリメータレンズ３０２が配置されている。
【００３８】
なお、この第二光源からの出射光の光軸は、第一光源からの出射光の光軸と一致させている。また、第二ダイクロイックミラー１４３は紫外光を透過させるものであって、この第二ダイクロイックミラー１４３とコリメータレンズとの間に集光レンズが設置されているが図示を省略する。
【００３９】
第二ダイクロイックミラー１４３における左側パネル１５側には、集光レンズ１４６が配置され、さらにこの集光レンズ１４６の左側パネル１５側には、反射ミラー１４５が配置されている。反射ミラー１４５の背面パネル１３側には、集光レンズ１４７が配置されている。反射ミラー１４５は、第二ダイクロイックミラー１４３により反射され、集光レンズ１４６を介して入射される光の光軸を背面パネル１３側に９０度変換する。
【００４０】
また、第一ダイクロイックミラー１４１の左側パネル１５側には、集光レンズ１４９が配置されている。さらに、集光レンズ１４９の左側パネル１５側であって、集光レンズ１４７の背面パネル１３側には、第三ダイクロイックミラー１４８が配置されている。第三ダイクロイックミラー１４８は、第一ダイクロイックミラー１４１で反射された緑色波長帯域光を反射して背面パネル１３側に９０度光軸を変換し、反射ミラー１４５で反射されて集光レンズ１４７を透過した光を透過させる。
【００４１】
第一ダイクロイックミラー１４１により反射された光は、集光レンズ１４９に入射する。そして、集光レンズ１４９を透過した光は、第三ダイクロイックミラー１４８により反射され、光源側光学系１７０の集光レンズ１７３を介してライトトンネル１７５の入射口に集光される。一方、反射ミラー１４５で反射されて集光レンズ１４７を透過した光は、第三ダイクロイックミラー１４８を透過して、集光レンズ１７３を介してライトトンネル１７５の入射口に集光される。
【００４２】
この様に、導光光学系１４０は、蛍光ホイール１０１の蛍光体領域から発せられる赤色波長帯域光や緑色波長帯域光、蛍光ホイール１０１の励起光透過領域３１３を拡散透過した青色波長帯域光を同一光路上に導くため、第一ダイクロイックミラー１４１、第二ダイクロイックミラー１４３、第三ダイクロイックミラー１４８及び反射ミラー１４５や、集光レンズ群１１１、集光レンズ１１５、集光レンズ１４６、集光レンズ１４７、集光レンズ１４９を含んでいる。
【００４３】
そして、第一ダイクロイックミラー１４１乃至第三ダイクロイックミラー１４８及び反射ミラー１４５により各色光源光の光軸方向を変換し、各集光レンズおよび集光レンズ群により各色光を所定範囲に集光させることにより、各色の光源光の光軸を一致させて同一方向に出射させて光源側光学系１７０に入射させている。
【００４４】
光源側光学系１７０は、集光レンズ１７３、ライトトンネル１７５、集光レンズ１７８、光軸変換ミラー１８１、集光レンズ１８３、照射ミラー１８５、コンデンサレンズ１９５により構成されている。なお、コンデンサレンズ１９５は、コンデンサレンズ１９５の背面パネル１３側に配置される表示素子５１から出射された画像光を投影側光学系２２０に向けて出射するので、投影側光学系２２０の一部ともされている。
【００４５】
ライトトンネル１７５の近傍には、ライトトンネル１７５の入射口に光源光を集光する集光レンズ１７３が配置されている。よって、各色波長帯域光は、集光レンズ１７３により集光され、ライトトンネル１７５に向かって出射される。
【００４６】
ライトトンネル１７５の背面パネル１３側の光軸上には、集光レンズ１７８を介して、光軸変換ミラー１８１が配置されている。ライトトンネル１７５の出射口から出射した光線束は、集光レンズ１７８で集光された後、光軸変換ミラー１８１により、左側パネル１５側に光軸を変換される。
【００４７】
光軸変換ミラー１８１で反射した光線束は、集光レンズ１８３により集光された後、照射ミラー１８５により、コンデンサレンズ１９５を介して表示素子５１に所定の角度で照射される。なお、ＤＭＤとされる表示素子５１は、背面パネル１３側にヒートシンク１９０が設けられ、このヒートシンク１９０により表示素子５１は冷却される。
【００４８】
光源側光学系１７０により表示素子５１の画像形成面に照射された光源光である光線束は、表示素子５１の画像形成面で反射され、投影光として投影側光学系２２０を介してスクリーンに投影される。ここで、投影側光学系２２０は、コンデンサレンズ１９５、可動レンズ群２３５、固定レンズ群２２５により構成されている。可動レンズ群２３５は、レンズモータにより移動可能に形成される。そして、可動レンズ群２３５及び固定レンズ群２２５は、固定鏡筒に内蔵される。よって、可動レンズ群２３５を備える固定鏡筒は、可変焦点型レンズとされ、ズーム調節やフォーカス調節が可能に形成される。
【００４９】
このように投影装置１０を構成することで、蛍光ホイール１０１を回転させるとともに励起光照射装置７０から任意のタイミングで光を出射すると、赤色、緑色及び青色の各波長帯域光が導光光学系１４０により同一光路とされて集光レンズ１７３及びライトトンネル１７５に順次入射され、さらに光源側光学系１７０を介して表示素子５１に入射される。そのため、投影装置１０の表示素子５１であるＤＭＤがデータに応じて各色の光を時分割表示することにより、スクリーンにカラー画像を投影することができる。
【００５０】
図４は、本発明の実施形態に係る投影装置の内部構造の一部を示す拡大概略図である。図５は、本発明の実施形態に係る蛍光ホイール１０１であり、（ａ）は表面３１１、（ｂ）は裏面３１４を示す図である。図４には、レーザダイオード３０１とコリメータレンズ３０２とが１つずつ記載されているが、それぞれ複数設置されていてもよい。
【００５１】
図５（ａ）に示すように、蛍光ホイール１０１の表面（一方の面）３１１は、外周部近傍に円形帯状の緑色蛍光体領域３１２と励起光透過領域３１３とを有している。緑色蛍光体領域３１２は、緑色波長帯域光を発する緑色の蛍光体が塗布形成されている。この緑色蛍光体領域３１２の面積は、励起光透過領域３１３の面積より大きく形成されている。
【００５２】
また、図５（ｂ）に示すように、蛍光ホイール１０１の裏面（他方の面）３１４は、外周部近傍に円形帯状の赤色蛍光体領域３１５と励起光透過領域３１６とを有している。赤色蛍光体領域３１５は、赤色波長帯域光を発する赤色の蛍光体が塗布形成されている。この赤色蛍光体領域３１５の面積は、励起光透過領域３１６の面積より大きく形成されている。
【００５３】
表面３１１の緑色蛍光体領域３１２と裏面３１４の赤色蛍光体領域３１５とは、対応する位置と面積が同一であり、表面３１１と裏面３１４との励起光透過領域３１３，３１６も対応する位置と面積が同一である。
【００５４】
図４に示すように、第一光源である励起光照射装置７０の青色レーザダイオード７１から照射された青色波長帯域光（破線）は、集光レンズ８５を透過し、第一ダイクロイックミラー１４１を透過する。また、青色波長帯域光は、集光レンズ群１１１を透過し、蛍光ホイール１０１の励起光透過領域３１３，３１６を通過する。青色波長帯域光は、集光レンズ１１５を透過し、第二ダイクロイックミラー１４３で反射される。青色波長帯域光は、集光レンズ１４６を透過し、反射ミラー１４５で反射される。青色波長帯域光は、集光レンズ１４７を透過し、第三ダイクロイックミラー１４８を透過する。青色波長帯域光は、集光レンズ１７３を透過し、ライトトンネル１７５に入射される。
【００５５】
また、蛍光ホイール１０１が回転して青色波長帯域光の光路上に緑色蛍光体領域３１２が位置するとき、青色波長帯域光は、蛍光ホイール１０１の緑色蛍光体に集光し、蛍光ホイール１０１から緑色波長帯域光（二点鎖線）が発光される。緑色波長帯域光は蛍光ホイール１０１で発光されると、集光レンズ群１１１を透過し、第一ダイクロイックミラー１４１で反射される。緑色波長帯域光は集光レンズ１４９を透過し、第三ダイクロイックミラー１４８で反射される。緑色波長帯域光は集光レンズ１７３を透過し、ライトトンネル１７５に入射される。
【００５６】
また、蛍光ホイール１０１の裏面３１４には、第二光源のレーザダイオード３０１から紫外光が照射され、紫外光はコリメータレンズ３０２を透過し、第二ダイクロイックミラー１４３を透過する。紫外光は集光レンズ１１５を透過し、蛍光ホイール１０１が回転して紫外光の光路上に赤色蛍光体領域３１５が位置するとき、蛍光ホイール１０１の赤色蛍光体領域３１５の蛍光体に集光し、蛍光ホイール１０１から赤色波長帯域光（一点鎖線）がプロジェクタの前面側に出射される。赤色波長帯域光は蛍光ホイール１０１で発光されると、集光レンズ１１５を透過し、第二ダイクロイックミラー１４３で反射される。赤色波長帯域光は集光レンズ１４６を透過し、反射ミラー１４５で反射される。赤色波長帯域光は、集光レンズ１４７を透過し、第三ダイクロイックミラー１４８を透過する。赤色波長帯域光は、集光レンズ１７３を透過し、ライトトンネル１７５に入射される。
【００５７】
図６は、本発明の実施形態に係る光源制御手段の光源の点滅タイミングを示すタイムチャートである。第一光源の青色レーザダイオード７１がＯＮ、第二光源の紫外線のレーザダイオード３０１がＯＦＦであり、蛍光ホイール１０１の表面３１１の緑色蛍光体領域３１２に青色波長帯域光が照射された場合、緑色波長帯域光が発光される。第一光源の青色レーザダイオード７１がＯＦＦ、第二光源の紫外線のレーザダイオード３０１がＯＮであり、蛍光ホイール１０１の裏面３１４の赤色蛍光体領域３１５に紫外光が照射された場合、赤色波長帯域光が発光される。
【００５８】
また、第一光源の青色レーザダイオード７１がＯＮ、第二光源の紫外線のレーザダイオード３０１がＯＦＦであり、蛍光ホイール１０１の励起光透過領域３１３，３１６に青色波長帯域光が照射された場合、青色波長帯域光が発光される。
【００５９】
そして、蛍光ホイール１０１の緑色蛍光体領域３１２や赤色蛍光体領域３１５が第一光源や第二光源の光軸上に位置するとき、第一光源と第二光源の点灯時間を制御して、緑色波長帯域光と赤色波長帯域光との出射時間の比率を自由に制御することができる。
【００６０】
図７は、本発明の実施形態に係る光源制御手段の光源の点滅タイミングの変更制御例を示すタイムチャートである。第一光源と第二光源のいずれか一方を点灯することにより、光源装置６０から赤、緑、青色波長帯域光を出射できることは、図６のタイムチャートと同様である。
【００６１】
そして、第一光源の青色レーザダイオード７１がＯＮ、第二光源の紫外線のレーザダイオード３０１がＯＮであり、蛍光ホイール１０１の表面３１１の緑色蛍光体領域３１２に青色波長帯域光が照射され、蛍光ホイール１０１の裏面３１４の赤色蛍光体領域３１５に紫外光が照射された場合、緑色波長帯域光と赤色波長帯域光とが出射され、ライトトンネル１７５に黄色光が入射される。したがって、補色として緑色波長帯域光と赤色波長帯域光とから黄色波長帯域光を出射できるので、撮影画像を明るくすることができ、白色のバランス調整も容易とすることができる。
【００６２】
（第２の実施形態）
図８は、本発明の第２の実施形態に係る投影装置の内部構造の一部を示す拡大概略図である。図９は、本発明の第２の実施形態に係る蛍光ホイール１０１であり、（ａ）は表面３１１、（ｂ）は裏面３１４を示す図である。第２の実施形態は、第一ダイクロイックミラー１４１の右側に青色発光ダイオード３２１が設置されている点が第１の実施形態と異なる。
【００６３】
また、第２の実施形態は、蛍光ホイール１０１の表面（一方の面）３１１の全周に緑色蛍光体領域３１２の１色だけが形成され、蛍光ホイール１０１の裏面（他方の面）３１４の全周に赤色蛍光体領域３１５の１色だけ形成されている点が第１の実施形態と異なる。図９（ａ）に示すように、蛍光ホイール１０１の表面３１１は、外周部近傍に円形帯状の緑色蛍光体領域３１２が１周形成されている。図９（ｂ）に示すように、蛍光ホイール１０１の裏面３１４は、外周部近傍に円形帯状の赤色蛍光体領域３１５が１周形成され、緑色蛍光体領域３１２と赤色蛍光体領域３１５とは同一大きさ、同一面積とされている。
【００６４】
図８に示すように、第一光源の青色レーザダイオード７１から照射された青色波長帯域光は、集光レンズ８５を透過し、第一ダイクロイックミラー１４１を透過する。また、青色波長帯域光は、集光レンズ群１１１を透過し、蛍光ホイール１０１の緑色蛍光体３３１に集光し、励起した場合、蛍光ホイール１０１から緑色波長帯域光（二点鎖線）が発光される。緑色波長帯域光は蛍光ホイール１０１で発光されると、集光レンズ群１１１を透過し、第一ダイクロイックミラー１４１で反射される。緑色波長帯域光は集光レンズ１４９を透過し、第三ダイクロイックミラー１４８で反射される。緑色波長帯域光は集光レンズ１７３を透過し、ライトトンネル１７５に入射される。
【００６５】
また、第二光源のレーザダイオード３０１から青色波長帯域光が照射され、青色波長帯域光はコリメータレンズを透過し、第二ダイクロイックミラー１４３を透過する。第二ダイクロイックミラー１４３は、レーザダイオード３０１から照射された青色波長帯域光を透過し、蛍光ホイール１０１で発光された赤色波長帯域光を反射する。
【００６６】
第二ダイクロイックミラー１４３を透過した青色波長帯域光は集光レンズ１１５を透過し、蛍光ホイール１０１の赤色蛍光体３３２に集光し、励起した場合、蛍光ホイール１０１から赤色波長帯域光（一点鎖線）が発光される。赤色波長帯域光は蛍光ホイール１０１で発光されると、集光レンズ１１５を透過し、第二ダイクロイックミラー１４３で反射される。赤色波長帯域光は集光レンズ１４６を透過し、反射ミラー１４５で反射される。赤色波長帯域光は、集光レンズ１４７を透過し、第三ダイクロイックミラー１４８を透過する。赤色波長帯域光は、集光レンズ１７３を透過し、ライトトンネル１７５に入射される。
【００６７】
なお、第二光源のレーザダイオード３０１から照射される光は青色波長帯域光に限定されず、紫外光等であってもよい。また、第一光源の出射光は青色波長帯域光に限定されず、紫外光であってもよい。
【００６８】
また、第一ダイクロイックミラー１４１の右側に第三光源の青色発光ダイオード３２１が設置されている。なお、青色発光ダイオード３２１はＬＥＤに限定されず、レーザダイオード等であってもよい。青色発光ダイオード３２１から照射された青色波長帯域光（破線）は、集光レンズ群３２２と第一ダイクロイックミラー１４１とを透過する。第三光源から出射されて青色波長帯域光の光軸が第一光源又は第二光源の光軸と第一ダイクロイックミラー１４１の位置で交差する。青色波長帯域光は集光レンズ１４９を透過し、第三ダイクロイックミラー１４８で反射される。青色波長帯域光は集光レンズ１７３を透過し、ライトトンネル１７５に入射される。したがって、第一光源、第二光源、第三光源の点灯時間により、ＲＧＢは自由に決定される。
【００６９】
図１０は、本発明の第２の実施形態に係る光源制御手段の光源の点滅タイミングを示すタイムチャートである。第一光源の青色レーザダイオード７１がＯＮ、第二光源の青色のレーザダイオード３０１がＯＦＦ、第三光源の青色発光ダイオード３２１がＯＦＦであり、蛍光ホイール１０１の表面３１１の緑色蛍光体領域３１２に青色波長帯域光が照射された場合、緑色波長帯域光が発光される。
【００７０】
第一光源の青色レーザダイオード７１がＯＦＦ、第二光源の青色レーザダイオードがＯＮ、第三光源の青色発光ダイオード３２１がＯＦＦであり、蛍光ホイール１０１の裏面３１４の赤色蛍光体３３２に青色波長帯域光が照射された場合、赤色波長帯域光が発光される。
【００７１】
また、第一光源の青色レーザダイオード７１がＯＦＦ、第二光源の青色のレーザダイオード３０１がＯＦＦ、第三光源の青色発光ダイオード３２１がＯＮである場合、青色波長帯域光が発光される。そして、第一光源の青色レーザダイオード７１がＯＮ、第二光源の青色のレーザダイオード３０１がＯＮ、第三光源の青色発光ダイオード３２１がＯＦＦであり、蛍光ホイール１０１の表面３１１の緑色蛍光体領域３１２に青色波長帯域光が照射され、蛍光ホイール１０１の裏面３１４の赤色蛍光体領域３１５に青色波長帯域光が照射された場合、緑色波長帯域光と赤色波長帯域光とが出射され、ライトトンネル１７５に黄色波長帯域光が入射される。
【００７２】
さらに、第一光源の青色レーザダイオード７１がＯＮ、第二光源の青色のレーザダイオード３０１がＯＦＦ、第三光源の青色発光ダイオード３２１がＯＮであり、蛍光ホイール１０１の表面３１１の緑色蛍光体領域３１２に青色波長帯域光が照射され、第三光源の青色発光ダイオード３２１から青色波長帯域光が照射された場合、緑色波長帯域光と青色波長帯域光とが出射され、ライトトンネル１７５にシアン色波長帯域光が入射される。したがって、補色として黄色波長帯域光やシアン色波長帯域光を出射できるので、高輝度モードや色再現重視モードを実現することができる。
【００７３】
（第３の実施形態）
第３の実施形態は、蛍光ホイール１０１の裏面３１４の赤色蛍光体と隣り合う一部の周に青色蛍光体が形成されている点が第１の実施形態と異なる。第一光源は青色レーザダイオード７１であり、第二光源のレーザダイオード３０１は紫外光を出射する。第一ダイクロイックミラー１４１は青色波長帯域光を透過し、緑色波長帯域光を反射する。第二ダイクロイックミラー１４３は紫外光を透過し、青色波長帯域光及び赤色波長帯域光を反射する。
【００７４】
蛍光ホイール１０１の裏面３１４の赤色蛍光体領域３１５と励起光透過領域３１６と隣り合う一部の周に青色蛍光体領域が形成されている。図４に示すように、第二光源のレーザダイオード３０１から紫外光を照射すると紫外光は、第二ダイクロイックミラー１４３を透過し、蛍光ホイール１０１の裏面３１４の青色蛍光体に照射された場合、青色波長帯域光が発光される。青色波長帯域光は第二ダイクロイックミラー１４３と反射ミラー１４５とで反射され、ライトトンネル１７５に入射される。
【００７５】
蛍光ホイール１０１の表面３１１に緑色蛍光体領域３１２と励起光透過領域３１３とが形成されている。赤色蛍光体と青色蛍光体とを合わせた面積と位置は、緑色蛍光体の面積と位置と同一である。青色レーザダイオード７１から青色波長帯域光が蛍光ホイール１０１の表面３１１の緑色蛍光体領域３１２に照射すると緑色波長帯域光が発光される。緑色波長帯域光は第一ダイクロイックミラー１４１と第三ダイクロイックミラー１４８とで反射され、ライトトンネル１７５に入射される。
したがって、補色として緑色波長帯域光と青色波長帯域光とからシアン色波長帯域光も発光できるので、色再現性を一層良くすることができる。
【００７６】
以上より、表面（一方の面）と裏面（他方の面）とに異なる色の蛍光体が形成された蛍光ホイールに、第一光源と第二光源とから光を照射するので、第一光源と第二光源との点灯時間を制御することにより、異なる波長帯域光を合わせて、又は異なる波長帯域光の出射時間の長さを調整することにより、色再現性に優れた明るく見やすい画像を表示することができる光源装置と、この光源装置を備える投影装置を提供することができる。
【００７７】
また、第２の実施形態においては、蛍光ホイール１０１の表面（第一光源７０、７１側から見た面、一方の面）の所定の領域に第１の蛍光体が形成され、平面視して蛍光ホイール１０１の裏面（第二光源３０１側から見た面、他方の面）の第１の蛍光体と対応する領域（重なる領域）に、第１の蛍光体と異なる波長帯域の光を発光する第２の蛍光体が形成される、とした。しかし、この構成に限らない。蛍光ホイール１０１の表面（一方の面）の円周方向に形成された第１の蛍光体に対して、蛍光ホイール１０１の裏面（他方の面）の第１の蛍光体と対応しない領域（例えば、平面視して第１の蛍光体と第２の蛍光体とが円周方向に隣接した領域）とするように、環状形状とした蛍光体領域の直径を異ならせて形成される、としても良い。
【００７８】
このような構成にすることで、第一光源から蛍光ホイール１０１に照射される励起光の照射スポットと、第二光源から蛍光ホイール１０１に照射される励起光の照射スポットとの位置が、図１１に示すように、平面視において異なる（重ならない）ので、励起光照射によって蛍光光が発光される蛍光体の熱の発生に対し、より放熱し易くすることができる。
【００７９】
図１１（ａ）乃至図１１（ｆ）は、本発明の変形例に係る蛍光ホイール１０１における励起光の照射スポットを示す図である。図１１（ａ）、（ｂ）に示すように、蛍光ホイール１０１の表面（一方の面）の外周部近傍に円形状の緑色蛍光体領域３１２を形成し、平面視して蛍光ホイール１０１の裏面（他方の面）の円形状の緑色蛍光体領域３１２の内周より内側に赤色蛍光体領域３１５を形成しても良い。このような構成とすることで、蛍光ホイール１０１の表面と裏面とで励起光の照射スポット１０５の位置が異なるので、より放熱し易くすることができる。
【００８０】
また、図１１（ｃ）、（ｄ）に示すように、緑色蛍光体領域３１２及び赤色蛍光体領域３１５の形成領域は図９（ａ）、（ｂ）と同様に蛍光体領域の直径は同一であるが、励起光の照射スポット１０５を、平面視して蛍光ホイール１０１の中心に対して異なる方向、即ち、表面と裏面とで対称な位置としている。
【００８１】
このように、蛍光ホイール１０１の中心から異なる方向に照射スポット１０５の位置を配置することで、蛍光ホイール１０１の表面と裏面との中間で表面と平行な平面における照射スポットの位置を異ならせ、蛍光ホイール１０１の表面と裏面とにおける照射スポット１０５が異なる位置となり、放熱し易くすることができる。
【００８２】
更に、図１１（ｅ）、（ｆ）は、緑色蛍光体領域３１２及び赤色蛍光体領域３１５の形成領域が図１１（ａ）、（ｂ）と同様に異なる直径とされると共に、蛍光ホイール１０１の表面と裏面とにおいて、照射スポットの位置を蛍光ホイール１０１の中心から異なる方向として表面の励起光の照射スポット１０５の位置とした投影装置１０における底面からの高さ位置と、裏面の励起光の照射スポット１０５の位置とした投影装置１０における底面からの高さ位置とを異ならせている。この構成においても、平面視して励起光の照射スポット１０５の位置が蛍光ホイール１０１の表面と裏面とで異なる位置であるので、放熱し易くすることができる。
【００８３】
これら図１１（ａ）乃至図１１（ｅ）においては、第一光源の光軸と、第二光源の光軸とが、互いに平行であるが、重ならないようになっている。つまり、第一光源の位置又は第二光源の位置の何れかは、面方向（横方向）にシフトした位置に配置されている。
【００８４】
尚、第一光源から蛍光ホイールに照射される励起光と第二光源から蛍光ホイールに照射される励起光の光軸を合わせる場合は、蛍光ホイールから出射される蛍光光の発生位置が蛍光ホイールの表裏で一致し、蛍光ホイールから出射されて異なる波長帯域の光を同一光軸として出射させることが容易となる。
【００８５】
そして、蛍光ホイールと第一光源との間に第一ダイクロイックミラーを配置し、蛍光ホイールと第二光源との間に第二ダイクロイックミラーを配置しているため、蛍光ホイールから出射される蛍光光を、励起光の光軸とは異なる光軸方向として蛍光ホイールから容易に取り出すことができる。
【００８６】
また、蛍光ホイールの表面と裏面とは、緑色または赤色の異なる蛍光体が形成されることにより、補色として緑色波長帯域光と赤色波長帯域光とから黄色光を出射できるので、出射光の色を明るくすることができる。
【００８７】
また、第一光源は青色波長帯域の励起光を出射し、蛍光ホイールは、一部に光を透過する励起光透過領域を有し、第二光源と前記蛍光ホイールとの間に設置されたダイクロイックミラーは、蛍光光と共に第一光源からの光を反射する。蛍光ホイールは、一部が光を透過する領域であることにより、青色波長帯域光を通過することができ、ＲＧＢを発光することができる。
【００８８】
また、蛍光ホイールの赤色の蛍光体が形成された面には、青色の蛍光体が一部に形成されているので、補色として緑色波長帯域光と青色波長帯域光とからシアン色波長帯域光を出射でき、色の再現性を良くすることができる。
【００８９】
また、第二光源から紫外光を蛍光ホイールの裏面の赤色蛍光体に照射することにより、赤色波長帯域光を発光することができる。
【００９０】
また、蛍光ホイールの表面と裏面とは、波長帯域の異なる蛍光体が円周全体に形成されることにより、第一光源と第二光源との点灯時間を制御することにより、波長帯域の異なる蛍光光の出射時間の長さを調整し、明るく見やすい画像を表示することができる。
【００９１】
また、青色波長帯域光を照射する第三光源を有することにより、青色波長帯域光を発光することができ、青色波長帯域光と青色波長帯域光と異なる２つの波長帯域の光の出射時間を自由に調整することができる。
【００９２】
また、第一光源と第二光源とは、青色波長帯域光又は紫外光を蛍光ホイールに照射することにより、緑色波長帯域光と赤色波長帯域光とを効率良く発光することができる。
【００９３】
第三光源から出射されて光の光軸が第一光源又は第二光源の光軸とダイクロイックミラーの位置で交差することにより、ＲＧＢの光を容易に光軸と合わせることができる。
【００９４】
なお、図９（ａ）では、蛍光ホイール１０１の表面３１１は、外周部近傍に円形帯状の緑色蛍光体領域３１２が１周形成されているものとしたが、この構成に限らない。外周部近傍に形成された円形帯状の緑色蛍光体領域３１２の一部を青色蛍光体領域とし、周方向に緑色蛍光体領域３１２と青色蛍光体領域とを隣接して配設し、２つの蛍光体の領域を合わせて１周形成されているものとする。
【００９５】
この場合青色レーザダイオード７１としては紫外光を使用することができる。紫外光は第一ダイクロイックミラー１４１を透過し、青色蛍光体領域に照射されると、青色の蛍光光を発し、青色の蛍光光は第一ダイクロイックミラー１４１で反射される。この構成では、青色蛍光体を用いているので、青色発光ダイオード３２１は設ける必要がない。従って、上記実施形態と同様の効果を得られると共に、構成を簡易にすることができる。
【００９６】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９７】
以下に、本願出願の最初の特許請求の範囲に記載された発明を付記する。
［１］一方の面と他方の面とに異なる波長帯域の光を発する蛍光体の領域が形成された蛍光ホイールと、
前記蛍光ホイールの一方の面に励起光を照射する第一光源と、
前記蛍光ホイールの他方の面に励起光を照射する第二光源と、
前記蛍光ホイールの前記一方の面から発光される蛍光光と、前記蛍光ホイールの前記他方の面から発光される蛍光光と、を同一光路に導く導光光学系と、
を有することを特徴とする光源装置。
［２］前記導光光学系は、
前記蛍光ホイールと前記第一光源との間に配置され、前記第一光源の前記励起光を透過させ、前記蛍光ホイールからの蛍光光を反射する第一ダイクロイックミラーと、
前記蛍光ホイールと前記第二光源との間に配置され、前記第二光源の前記励起光を透過させ、前記蛍光ホイールからの蛍光光を反射する第二ダイクロイックミラーと、
を含むことを特徴とする前記［１］に記載の光源装置。
［３］前記蛍光ホイールの前記一方の面と前記他方の面とには、緑色の蛍光体または赤色の蛍光体が形成されることを特徴とする前記［１］又は前記［２］に記載の光源装置。
［４］前記第一光源から前記蛍光ホイールに照射される励起光の光軸と、前記第二光源から前記蛍光ホイールに照射される励起光の光軸とが一致していることを特徴とする前記［１］乃至前記［３］の何れかに記載の光源装置。
［５］前記第一光源は青色波長帯域の前記励起光を出射し、前記蛍光ホイールは、一部に光を透過する励起光透過領域を有し、
前記第二光源と前記蛍光ホイールとの間に設置された前記第二ダイクロイックミラーは、前記蛍光光と共に第一光源からの光を反射することを特徴とする前記［１］乃至前記［４］の何れかに記載の光源装置。
［６］前記蛍光ホイールの赤色の蛍光体が形成された面には、青色の蛍光体が一部に形成されることを特徴とする前記［５］に記載の光源装置。
［７］前記第二光源は、紫外光を出射することを特徴とする前記［１］乃至前記［６］の何れか記載の光源装置。
［８］前記蛍光ホイールの前記一方の面と前記他方の面とに形成された蛍光体領域は、同一形状同一大きさとして円周全体に亘って形成されることを特徴とする前記［１］乃至前記［３］の何れかに記載の光源装置。
［９］さらに、青色波長帯域光を出射する第三光源を有することを特徴とする前記［８］に記載の光源装置。
［１０］前記第三光源から出射された光の光軸が前記第一光源又は前記第二光源の光軸と前記第一ダイクロイックミラー又は前記第二ダイクロイックミラーの位置で交差することを特徴とする前記［９］に記載の光源装置。
［１１］前記第一光源と前記第二光源とは、青色波長帯域光又は紫外光を出射することを特徴とする前記［８］乃至前記［１０］の何れかに記載の光源装置。
［１２］前記第一光源から前記蛍光ホイールに照射される励起光の光軸と、前記第二光源から前記蛍光ホイールに照射される励起光の光軸とが一致していることを特徴とする前記［８］乃至前記［１１］の何れかに記載の光源装置。
［１３］前記蛍光ホイールに照射される前記第一光源の励起光の照射スポットと、前記蛍光ホイールに照射される前記第二光源の励起光の照射スポットとは、前記蛍光ホイールの表面と平行な平面上で位置が異なることを特徴とする前記［８］乃至前記［１１］の何れかに記載の光源装置。
［１４］前記［１］乃至前記［１３］の何れかに記載の光源装置と、
画像光を生成する表示素子と、
前記表示素子から出射された画像光をスクリーンに投影する投影側光学系と、
前記光源装置や前記表示素子を制御する投影装置制御手段と、
を有することを特徴とする投影装置。
【符号の説明】
【００９８】
１０    投影装置                    １１    上面パネル
１２    正面パネル                  １３    背面パネル
１４    右側パネル                  １５    左側パネル
１６    下面パネル                  １７    吸排気孔
２１    入出力コネクタ部            ２２    入出力インターフェース
２３    画像変換部                  ２４    表示エンコーダ
２５    ビデオＲＡＭ                ２６    表示駆動部
３１    画像圧縮／伸長部            ３２    メモリカード
３５    Ｉｒ受信部                  ３６    Ｉｒ処理部
３７    キー／インジケータ部        ３８    制御部
４１    光源制御回路                ４３    冷却ファン駆動制御回路
４５    レンズモータ                ４７    音声処理部
４８    スピーカ                    ５１    表示素子
６０    光源装置                    ７０    励起光照射装置
７１    青色レーザダイオード        ７３    コリメータレンズ
８１    ヒートシンク                １００  蛍光板装置
１０１  蛍光ホイール                １０５  照射スポット
１１０  モータ                      １１１  集光レンズ群
１１５  集光レンズ                  １２５  集光レンズ群
１３０  ヒートシンク                １４０  導光光学系
１４１  第一ダイクロイックミラー    １４３  第二ダイクロイックミラー
１４５  反射ミラー                  １４６  集光レンズ
１４７  集光レンズ                  １４８  第三ダイクロイックミラー
１４９  集光レンズ                  １７０  光源側光学系
１７３  集光レンズ                  １７５  ライトトンネル
１７８  集光レンズ                  １７９  集光レンズ
１８５  照射ミラー                  １９０  ヒートシンク
１９５  コンデンサレンズ            ２２０  投影側光学系
２２５  固定レンズ群                ２３５  可動レンズ群
２４１  制御回路基板                ２６１  冷却ファン
２６２  冷却ファン                  ３０１  レーザダイオード
３０２  コリメータレンズ            ３１１  表面（一方の面）
３１２  緑色蛍光体                  ３１３  励起光透過領域
３１４  裏面（他方の面）            ３１５  赤色蛍光体
３２１  青色レーザダイオード        ３２２  集光レンズ群
３３１  緑色蛍光体                  ３３２  赤色蛍光体
【図１】
0006726387.tif 000002
【図２】
0006726387.tif 000003
【図３】
0006726387.tif 000004
【図４】
0006726387.tif 000005
【図５】
0006726387.tif 000006
【図６】
0006726387.tif 000007
【図７】
0006726387.tif 000008
【図８】
0006726387.tif 000009
【図９】
0006726387.tif 000010
【図１０】
0006726387.tif 000011
【図１１】
0006726387.tif 000012